(57)【要約】      （修正有）【課題】簡単に組み立てができ、なおかつ狭小な住宅においても、清潔で健康的に小動物を飼育することができる小動物飼育ケージを提供する。【解決手段】プラスチックダンボールを組み合わせることによって特別に接着剤等を使用することなく容易に組み立てることができ、また壁に掛ける吊り下げ用穴２２を設けることによって人間の居住空間を圧迫することなく設置でき、さらに内部に全面床３４を多段に設けることによって小動物の生活空間を十分に確保し、飼育者にとっても小動物にとっても、清潔で健康的かつ便利な小動物飼育ケージを作成した。【選択図】図１
0003188986.tif 000002
【実用新案登録請求の範囲】
【請求項１】
壁面に吊り下げられることを主たる利用方法とされ、そのための穴、もしくは金具等吊り下げ装置を有する小動物飼育ケージ。
【請求項２】
少なくとも前面が解放され、この面が透明な材料によって構成され、飼育する小動物を主に横から観察する請求項１に記載の小動物飼育ケージ。
【請求項３】
壁と対する面には、壁とケージが直接接触しないよう、突起あるいは板等が取り付けられ、取り付けられる壁との間に空間が設けられる請求項1に記載の小動物飼育ケージ。
【請求項４】
背面のパネル全面を、容易に着脱、あるいは開閉ができる請求項１に記載の小動物飼育ケージ。
【請求項５】
プラスチックダンボールを主たる材料として利用し、容易に組み立てができ、これを組み合わせることによって全体を構成し、固定することのできる請求項1に記載の小動物飼育ケージ。
【考案の詳細な説明】
【技術分野】
【０００１】
本考案は、ハムスターなどのネズミ類やリスなどの小動物を観賞したり、実験用として飼育するための小動物飼育ケージに関する。
【背景技術】
【０００２】
従来、 ハムスターなどのネズミ類やリスなどの小動物は、給仕箱、排泄場所、寝床等をもうけた飼育ケージ内で飼育される。こられの飼育ケージは、床面あるいは机等の平面上に置いて使用されるようにできており、使用に際して平面の面積を専有する。したがって、マンションやアパート等の狭小な住居においては使用が困難である。
【０００３】
また、従来の小動物飼育ケージでは、動物を観賞するためには、上から観察者がのぞき込む形になり、本来、鷹や鳶など、上方からの捕食者に攻撃される立場の小動物にとっては、恐怖を与える可能性がある。
【先行技術文献】
【特許文献】
【０００４】
【特許文献１】特許出願平８−２２２０２５
【特許文献２】特許出願平８−２２１５５５
【考案の概要】
【考案が解決しようとする課題】
【０００５】
本考案の目的は、狭小な住宅においても、清潔で健康的に、かつ恐怖心を抱かせることなく小動物を飼育することのできる小動物用飼育ケージを提供することである。
【課題を解決するための手段】
【０００６】
飼育ケージを、壁に吊り下げられるようにして、人間の居住空間を圧迫しない構造とした。
【０００７】
また、この構造のため、厚さが制限を受けるが、床を内部全面に多層に配置し、十分な床面積を確保した。なおかつ最低面を除く床には、それぞれ小動物が自由に移動できるように穴をもうけた。
【０００８】
本来、ハムスター等の小動物は、地上においては常に捕食動物からの攻撃を上方から受けるため、本能的に上方に対しては警戒心が強い。しかし、本考案による飼育ケージは、解放された前面に透明なパネルを取り付ける構造とし、横方法からの観察を主としているため、小動物に警戒心を抱かせることなく、その様態を観察することができる。
【０００９】
また、軽量で強度もあるプラスチックダンボールを、主たる材料に使うことによって、石膏ボードなど比較的強度の弱い壁面においても、本考案の飼育ケージなら設置することができる。さらに、中空のプラスチックダンボールでは、保温効果も期待でき、寒さに弱い小動物を、より快適な環境下で飼育することができる。
【００１０】
背板と本体は、組み合わせによって結合される。これによって特別に接着剤等を利用せず、構造体を保持することを可能にした。また、背板は、この組み合わせ構造を使用した突起によって、壁に密着することなく空間を設けた。これによって回転車などの小動物用玩具を容易に取り付けることができる。
【考案の効果】
【００１１】
本考案の小動物飼育ケージによって、人間の居住空間を圧迫することなく、また小動物にとっても十分な活動空間を確保した小動物飼育が可能となる。
【図面の簡単な説明】
【００１２】
【図１】小動物飼育ケージを組み立てた状態の斜視図である。
【図２】背面および底部板の平面展開図である。
【図３】前部および側面板の展開平面図である。
【図４】組み立てた状態の右側からの側面図である。
【図５】床板の平面展開図である。
【考案を実施するための形態】
【００１３】
図１から図５は、本考案の一形態を示す。
【００１４】
２２は、吊り下げ用の穴である。全体の形状は、おおむね奥行きが縦横の長さよりも半分以下となり、壁に取り付けられるよう薄型の形状になる。
【００１５】
背板２３を折り曲げ線によって折り、３０を３２に、３１を３３にそれぞれ差し込み、L断面の落下防止板を固定する。
【００１６】
３に、透明板２１をはめ込み、点線にそって、２０、８、９、のそれぞれを点線に沿って折り曲げる。突起部１９を穴１７に、突起部１８を穴１６にそれぞれ挿入し、さらに床板３４を穴１０、１１、１２、１３にそれぞれ差し込み、箱形を形成する。ついで４、５をそれぞれ内側に曲げて、透明板２１の上部を固定する。
【００１７】
６を２７に、７を２６に、１４を２９に、１５を２８にそれぞれ差し込み、３を下方向に移動させることによって、３と２３が結合する。６、７、１４、１５によって、背板は取り付けられる壁との間に空間を保ち、たとえば回転車などの小動物用玩具を容易に取り付けることができる。
【００１８】
天板を折り曲げ、１を２５に、２を２４に差し込むことによって固定される。この天板は、小突起によって固定されているだけであり、容易に開閉が可能で、これによってエサの補給や小動物の取り出し等が簡単に行える。
【符号の説明】
【００１９】
１  上面固定突起
２  上面固定突起
３  前部および側板
４  空気穴兼前部透明板押さえ
５  空気穴兼前部透明板押さえ
６  背面空間設置用板兼本体固定具
７  背面空間設置用板兼本体固定具
８  側板
９  側板
１０  床板用差し込み穴
１１  床板用差し込み穴
１２  床板用差し込み穴
１３  床板用差し込み穴
１４  背面空間設置用板兼本体固定具
１５  背面空間設置用板兼本体固定具
１６  底板固定用差し込み穴
１７  底板固定用差し込み穴
１８  底板固定用突起
１９  底板固定用突起
２０  底板
２１  前部透明板
２２  吊り下げ用穴
２３  背板
２４  天板固定用穴
２５  天板固定用穴
２６  背面空間設置用板兼本体固定具用穴
２７  背面空間設置用板兼本体固定具用穴
２８  背面空間設置用板兼本体固定具用穴
２９  背面空間設置用板兼本体固定具用穴
３０  下部落下防止板留め具用突起
３１  下部落下防止板留め具用突起
３２  下部落下防止板留め具用穴
３３  下部落下防止板留め具用穴
３４  床板
【図１】
0003188986.tif 000003
【図２】
0003188986.tif 000004
【図３】
0003188986.tif 000005
【図４】
0003188986.tif 000006
【図５】
0003188986.tif 000007
【手続補正書】
【提出日】平成25年12月5日(2013.12.5)
【手続補正１】
【補正対象書類名】実用新案登録請求の範囲
【補正対象項目名】請求項１
【補正方法】変更
【補正の内容】
【請求項１】
壁面に吊り下げられることを主たる利用方法とされ、背板もしくは側板に、そのための穴、もしくは吊り下げ用金具を有する小動物飼育ケージ
【手続補正２】
【補正対象書類名】実用新案登録請求の範囲
【補正対象項目名】請求項４
【補正方法】変更
【補正の内容】
【請求項４】
背板に開けられた背面空間設置用板兼本体固定用具用穴（２６、２７、２８、２９）に、背面空間設置用板兼本体固定用具が直角に差し込まれ、本体固定用具（６、７、１４、１５）と側板（８、９）の間に形成されるスリットに、背板がスライドし、はまり込むことで固定され、また逆方向にスライドすることによって容易に取り外すことができることを特徴とする請求項１に記載の小動物飼育ケージ。
【手続補正３】
【補正対象書類名】実用新案登録請求の範囲
【補正対象項目名】請求項５
【補正方法】変更
【補正の内容】
【請求項５】
背板および本体および床板がプラスチックダンボールによって構成される請求項１に記載の小動物飼育ケージ。